(57)【要約】      （修正有）【課題】付箋を収納するケースを製造するための１枚の略長方形のシート形状の付箋収納シートを提供する。【解決手段】表紙部材１０を一方の側面に配置した差込み部材２０と、差込み部材の他方の側面に配置した付箋配置部材３０とを有し、表紙部材は、ケースの表紙となる表紙シート部１１と、ケースの厚さ方向のまち部分を形成するまちシート部１２とを備え、差込み部材は、ケースの裏表紙となる底面シート部２１と、底面シート部に隣接する折返しシート部２２とを備え、折返しシート部を底面シート部に重ねて折り返して付箋収納シートに差し込み可能な差込部を形成し、付箋配置部材は、折返しシート部に隣接する付箋載置シート部３１と、載置する付箋を固定する付箋粘着部３２と、付箋載置シート部を折返しシート部に重ねて折り返したときに付箋載置シート部と折返しシート部との一部を粘着する折返し粘着部とを備える。【選択図】図１
2017205924.tif 000002
【特許請求の範囲】
【請求項１】
付箋を収納するケースを製造するための１枚の略長方形のシート形状の付箋収納シートであって、
前記ケースの表紙表面を形成する表紙部材と、
前記表紙部材を一方の側面に配置した差込み部材と、
前記差込み部材の他方の側面に配置した付箋配置部材と
を有し、
前記表紙部材は、前記ケースの表紙となる表紙シート部と、前記ケースの厚さ方向のまち部分を形成するまちシート部とを備え、
前記差込み部材は、前記ケースの裏表紙となる底面シート部と、前記底面シート部に隣接する折返しシート部とを備え、前記折返しシート部を前記底面シート部に重ねて折り返して手帳に差し込み可能な差込部を形成し、
前記付箋配置部材は、前記折返しシート部に隣接する付箋載置シート部と、載置する前記付箋を固定する付箋粘着部と、前記付箋載置シート部を前記折返しシート部に重ねて折り返したときに該付箋載置シート部と該折返しシート部との一部を粘着する折返し粘着部とを備え、
前記付箋配置部材と前記折返しシート部と前記底面シート部とを略Ｚ形状に折畳み、前記表紙シート部の裏面と前記付箋配置部材の前記付箋載置シート部とが相互に対向するように前記表紙部材の前記まちシート部を屈曲する、
ことを特徴とする付箋収納シート。
【請求項２】
請求項１に記載の付箋収納シートを用いた付箋セットであって、
前記付箋載置シート部に前記付箋を配置した、ことを特徴とする付箋セット。
【請求項３】
１枚の略長方形のシート形状の付箋収納シートを用いて、付箋を収納するケースを製造する付箋セットの製造方法あって、
前記ケースの表紙表面を形成する表紙部材と、前記表紙部材を一方の側面に配置した差込み部材と、前記差込み部材の他方の側面に配置した付箋配置部材とを有し、
前記表紙部材は、前記ケースの表紙となる表紙シート部と、前記ケースの厚さ方向のまち部分を形成するまちシート部とを備え、
前記差込み部材は、前記ケースの裏表紙となる底面シート部と、前記底面シート部に隣接する折返しシート部とを備え、
前記付箋配置部材は、前記折返しシート部に隣接する付箋載置シート部と、載置する前記付箋を固定する付箋粘着部と、前記付箋載置シート部を前記折返しシート部に重ねて折り返したときに該付箋載置シート部と該折返しシート部との一部を粘着する折返し粘着部とを備え、
前記折返し粘着部を用いて、前記付箋載置シート部を前記折返しシート部に重ねて折り返して、該付箋載置シート部と該折返しシート部との一部を粘着する付箋配置部材折返しステップと、
前記折返しシート部を前記底面シート部に重ねて折り返して手帳に差し込み可能な差込部を形成する差込部形成ステップと、
前記付箋載置シート部に前記付箋を載置し、前記付箋粘着部で該付箋を固定する付箋配置ステップと、
前記表紙シート部の裏面と前記付箋配置部材の前記付箋載置シート部とが相互に対向するように前記表紙部材の前記まちシート部を屈曲する表紙形成ステップと
を含むことを特徴とする付箋セットの製造方法。
【発明の詳細な説明】
【技術分野】
【０００１】
本発明は、付箋を収納するケースを製造するための１枚のシート形状の付箋収納シートに関する。本発明は、１枚のシート形状の付箋収納シートを用いた付箋セットまたは付箋セットの製造方法に関するものであってもよい。
【背景技術】
【０００２】
現在、日常生活やビジネス社会において、付箋収納シートを携帯する機会が多くなりつつある。付箋収納シートは、重要な事項からメモ程度の事項まで、様々な内容を手軽に記載することができる。特許文献１では、外カバーと内カバーにより構成され、外カバーの内側に装着するゴムマグネット枠と鉄芯入り内カバーとで開閉できる付箋収納シートカバーに関する技術を開示している。
【先行技術文献】
【特許文献】
【０００３】
【特許文献１】特開２００３−２１１８６８号公報
【発明の概要】
【発明が解決しようとする課題】
【０００４】
販売促進用の広告媒体として付箋セットを配布する場合には、より簡易で軽量な付箋セットが求められている。また、広告効果のある印象的な商品として、従来にない製造方法の付箋セットが求められている。
【０００５】
本発明は、付箋を収納するケースを製造するための１枚のシート形状の付箋収納シートを提供することを目的とする。また、本発明は、１枚のシート形状の付箋収納シートを用いた付箋セットまたは付箋セットの製造方法であってもよい。
【課題を解決するための手段】
【０００６】
上記課題を解決するために、本発明の一つの実施形態は、付箋を収納するケースを製造するための１枚の略長方形のシート形状の付箋収納シートであって、前記ケースの表紙表面を形成する表紙部材と、前記表紙部材を一方の側面に配置した差込み部材と、前記差込み部材の他方の側面に配置した付箋配置部材とを有し、前記表紙部材は、前記ケースの表紙となる表紙シート部と、前記ケースの厚さ方向のまち部分を形成するまちシート部とを備え、前記差込み部材は、前記ケースの裏表紙となる底面シート部と、前記底面シート部に隣接する折返しシート部とを備え、前記折返しシート部を前記底面シート部に重ねて折り返して手帳に差し込み可能な差込部を形成し、前記付箋配置部材は、前記折返しシート部に隣接する付箋載置シート部と、載置する前記付箋を固定する付箋粘着部と、前記付箋載置シート部を前記折返しシート部に重ねて折り返したときに該付箋載置シート部と該折返しシート部との一部を粘着する折返し粘着部とを備え、前記付箋配置部材と前記折返しシート部と前記底面シート部とを略Ｚ形状に折畳み、前記表紙シート部の裏面と前記付箋配置部材の前記付箋載置シート部とが相互に対向するように前記表紙部材の前記まちシート部を屈曲する、ことを特徴とする付箋収納シートを提供する。
【０００７】
本発明の他の実施形態は、上記の付箋収納シートを用いた付箋セットであって、前記付箋載置シート部に前記付箋を配置した、ことを特徴とする付箋セットであってもよい。
【０００８】
本発明の他の実施形態は、１枚の略長方形のシート形状の付箋収納シートを用いて、付箋を収納するケースを製造する付箋セットの製造方法あって、前記ケースの表紙表面を形成する表紙部材と、前記表紙部材を一方の側面に配置した差込み部材と、前記差込み部材の他方の側面に配置した付箋配置部材とを有し、前記表紙部材は、前記ケースの表紙となる表紙シート部と、前記ケースの厚さ方向のまち部分を形成するまちシート部とを備え、前記差込み部材は、前記ケースの裏表紙となる底面シート部と、前記底面シート部に隣接する折返しシート部とを備え、前記付箋配置部材は、前記折返しシート部に隣接する付箋載置シート部と、載置する前記付箋を固定する付箋粘着部と、前記付箋載置シート部を前記折返しシート部に重ねて折り返したときに該付箋載置シート部と該折返しシート部との一部を粘着する折返し粘着部とを備え、前記折返し粘着部を用いて、前記付箋載置シート部を前記折返しシート部に重ねて折り返して、該付箋載置シート部と該折返しシート部との一部を粘着する付箋配置部材折返しステップと、前記折返しシート部を前記底面シート部に重ねて折り返して手帳に差し込み可能な差込部を形成する差込部形成ステップと、前記付箋載置シート部に前記付箋を載置し、前記付箋粘着部で該付箋を固定する付箋配置ステップと、前記表紙シート部の裏面と前記付箋配置部材の前記付箋載置シート部とが相互に対向するように前記表紙部材の前記まちシート部を屈曲する表紙形成ステップとを含むことを特徴とする付箋セットの製造方法であってもよい。
【発明の効果】
【０００９】
本発明に係る付箋収納シートによれば、１枚のシート形状の部材から付箋を収納する付箋収納ケースを製造することができる。
【図面の簡単な説明】
【００１０】
【図１】本発明の実施形態に係る付箋収納シートの内側表面の例を示す平面図である。
【図２】本発明の実施形態に係る付箋収納シートの外側表面の例を説明する説明図である。
【図３】本発明の実施形態に係る付箋収納シートの折り畳み時の一例を示す左側面図である。
【図４】本発明の実施形態に係る付箋収納シートの折り畳み方法の一例を説明する説明図である。
【図５】本発明の実施形態に係る付箋収納シートを用いた付箋セットの一例を示す平面図である。
【図６】本発明の実施形態に係る付箋収納シートを用いた付箋セットの一例を説明する斜視図である。
【図７】本発明の実施形態に係る付箋収納シートを用いた付箋セットの使用例（手帳に収納時）を説明する説明図である。
【図８】本発明の実施形態に係る付箋収納シートを用いた付箋セットの製造方法の一例を説明するフローチャート図である。
【発明を実施するための形態】
【００１１】
実施形態に係る付箋収納シートの例を用いて、本発明を説明する。なお、本発明は、以後に説明する付箋収納シート、付箋セットおよび付箋セットの製造方法以外でも、１枚のシート形状の部材から付箋を収納する付箋収納ケースを製造するものであれば、いずれのものにも用いることができる。なお、付箋収納シートの素材、色、形状は、特に限定されない。付箋収納シートの素材は、紙、厚紙、シリコン、塩化ビニル、合成樹脂、エンジニアリングプラスチック又はその他手で折り曲げ可能なシート部材を用いることができる。付箋収納シートの色は、透明、半透明、色付きのものであってもよい。付箋収納シートの色は、例えば使用者（利用者）の趣味趣向に合わせた柄のものや広告、日付けを記載したものであってもよい。付箋収納シートの形状は、略長方形のシート形状であればよく、角が丸まったもの又は尖ったものであってもよい。
【００１２】
下記に示す順序で、本発明を説明する。
１．付箋収納シートの構成
２．付箋セットの構成
３．付箋セットの製造方法  
【００１３】
（１．付箋収納シートの構成）
図１乃至図４を用いて、本発明の実施形態に係る付箋収納シートの構成を説明する。ここで、図１は、本発明の実施形態に係る付箋収納シート１００の内側表面の例を示す平面図である。図２は、本発明の実施形態に係る付箋収納シート１００の外側表面の例を説明する説明図である。図３は、本発明の実施形態に係る付箋収納シート１００の折り畳み時の一例を示す左側面図である。図４は、本発明の実施形態に係る付箋収納シート１００の折り畳み方法の一例を説明する説明図である。なお、図１等に示す付箋収納シートの構成等は一例であり、本発明は図１等に示す付箋収納シート等に限定されるものではない。
【００１４】
図１に示すように、本発明に係る付箋収納シート１００は、付箋を収納するケースを製造するための１枚の略長方形のシート形状の部材である。付箋収納シート１００は、本実施形態では、付箋を収納するケースの表紙表面を形成する表紙部材１０と、表紙部材１０を一方の側面に配置した差込み部材２０と、差込み部材２０の他方の側面に配置した付箋配置部材３０とを有する。本発明に係る付箋収納シート１００は、付箋配置部材３０を用いて付箋を配置し、差込み部材２０を用いて手帳に差し込み可能な差込部（後述する図３の２０Ｉ）を形成し、表紙部材１０を用いて付箋を収納する。下記にて、各構成を具体的に説明する。
【００１５】
表紙部材１０は、図１に示すように、本実施形態では、付箋を収納するケースの表紙となる表紙シート部１１と、ケースの厚さ方向のまち部分を形成するまちシート部１２とを備える。図１に、表紙部材１０の表紙シート部１１およびまちシート部１２の内側表面を示す。図２に、表紙部材１０の表紙シート部１１およびまちシート部１２の外側表面（１１ｒおよび１２ｒ）を示す。表紙部材１０は、図３に示すように、表紙シート部の裏面と付箋配置部材（後述する付箋載置シート部）とが相互に対向するように表紙部材のまちシート部を屈曲することによって、付箋を収納するケースの表紙を形成する。
【００１６】
差込み部材２０は、図１に示すように、本実施形態では、付箋を収納するケースの裏表紙となる底面シート部２１と、底面シート部２１に隣接する折返しシート部２２と、底面シート部２１と折返しシート部２２とを折り返す折返し線部２３とを備える。図１に、差込み部材２０の底面シート部２１および折返しシート部２２の内側表面を示す。図２に、表紙部材１０の底面シート部２１およびまち折返しシート部２２の外側表面（２１ｒおよび２２ｒ）を示す。差込み部材２０は、図３（及び後述する図７（ｂ））に示すように、折返しシート部２２を底面シート部２１に重ねて折り返して、手帳に差し込み可能な差込部２０Ｉを形成する。
【００１７】
付箋配置部材３０は、図１に示すように、本実施形態では、差込み部材２０の折返しシート部２２に隣接する付箋載置シート部３１と、載置する付箋を固定する付箋粘着部３２と、付箋載置シート部３１を折返しシート部２２に重ねて折り返したときに付箋載置シート部３１と折返しシート部２２との一部を粘着する折返し粘着部３３（図２）とを備える。図１に、付箋配置部材３０の付箋載置シート部３１の内側表面および付箋粘着部３２を示す。図２に、付箋配置部材３０の付箋載置シート部３１の外側表面（３１ｒ）および折返し粘着部３３を示す。
【００１８】
なお、本発明に係る表紙部材１０（表紙シート部１１、まちシート部１２）、差込み部材２０（底面シート部２１、折返しシート部２２）および付箋配置部材３０（付箋載置シート部３１、付箋粘着部３２、折返し粘着部３３）の形状は、特に限定されない。本発明に係る表紙部材１０、差込み部材２０および付箋配置部材３０の形状は、設計、実験、計算などで予め定められる形状とすることができる。
【００１９】
図３に示すように、本発明に係る付箋収納シート１００は、付箋配置部材３０と差込み部材２０（折返しシート部２２と底面シート部２１）とを略Ｚ形状に折畳み、表紙部材１０（表紙シート部１１、まちシート部１２）と付箋配置部材３０とが相互に対向するように表紙部材１０（まちシート部１２）を屈曲する。これにより、本発明に係る付箋収納シート１００は、１枚のシート形状の部材から付箋を収納する付箋収納ケースを製造することができる。
【００２０】
具体的には、本発明に係る付箋収納シート１００は、まず図４（ａ）に示すように付箋配置部材３０を外側表面に折り曲げ、折返し粘着部（図２の３３）を用いて付箋載置シート部（図１の３１）と折返しシート部（図１の２２）との一部を粘着する。次に、図４（ｂ）に示すように、本発明に係る付箋収納シート１００は、差込み部材２０を内側表面に折り曲げ、手帳に差し込み可能な差込部（図３の２０Ｉ）を形成する。次いで、本発明に係る付箋収納シート１００は、表紙部材１０（表紙シート部１１、まちシート部１２）の裏面（内側表面）と付箋配置部材３０（付箋載置シート部）の内側表面とが相互に対向するように表紙部材１０（まちシート部１２）を屈曲する。
【００２１】
以上のとおり、本発明に係る付箋収納シートによれば、１枚のシート形状の部材から付箋を収納する付箋収納ケースを製造することができる。また、本発明に係る付箋収納シートによれば、販売促進用の広告媒体として付箋セットを配布する場合に、コンパクトで持ち運びすることができ、より簡易で軽量な付箋セットを製造することができる。更に、本発明に係る付箋収納シートによれば、印象的な商品として、従来にない製造方法の付箋セットを製造することができる。
【００２２】
（２．付箋セットの構成）
図５、図６及び図７を用いて、本発明の実施形態に係る付箋セット１００Ｓを説明する。ここで、図５は、本発明の実施形態に係る付箋収納シート（図１）を用いた付箋セット１００Ｓの一例を示す平面図である。図６は、本発明の実施形態に係る付箋収納シート（図１）を用いた付箋セット１００Ｓの一例を説明する斜視図である。図７は、本発明の実施形態に係る付箋収納シート（図１）を用いた付箋セット１００Ｓの使用例（手帳に収納時）を説明する説明図である。なお、図５、図６及び図７に示す付箋セット１００Ｓは一例であり、本発明は図５等に示す付箋セット１００Ｓに限定されるものではない。
【００２３】
図５に示すように、本実施形態に係る付箋セット１００Ｓは、付箋４０（４１、４２、４３、４４）を、付箋載置シート部（図１の３２）に配置している。ここで、配置する付箋は、使用者の趣向に合わせた形状・柄・色彩であってもよい。これにより、本実施形態に係る付箋セット１００Ｓは、図６に示すように、１枚のシート形状の部材から付箋を収納する付箋収納ケースを製造した付箋収納シート（図１）を用いて、コンパクトで持ち運びし易い付箋セットを製造することができる。なお、本実施形態に係る付箋セット１００Ｓは、前述の付箋収納シート（図１）と同様の部分の説明は省略する。また、図７に示すように、本発明に係る付箋セット１００Ｓは、手帳ＢＫ（文具収納用アルバム、文具収納用ファイル、文具収納ポケット付きノート、ノート用カバー又はノートホルダーなど）に収納することができる。具体的には、本発明に係る付箋セット１００Ｓは、図７（ｂ）に示すように、差込部２０Ｉを手帳の収納部に挿入して、手帳に取り付けることができる。これにより、本発明に係る付箋セット１００Ｓは、手帳と一緒に持ち運びすることができ、必要なときに付箋を簡便に使用することができる。
【００２４】
以上のとおり、本発明の実施形態に係る付箋セット１００Ｓによれば、実施形態に係る付箋収納シート１００（図１等）と同様の効果を得ることができる。また、本発明の実施形態に係る付箋セット１００Ｓによれば、オリジナルの製造方法で製造したものであるため、使用者の興味を引き付けることができる。
【００２５】
（３．付箋セットの製造方法）
図８を用いて、付箋収納シート１００（図１）を用いた付箋セット１００Ｓ（図５）の製造方法を説明する。ここで、図８は、本発明の実施形態に係る付箋収納シートを用いた付箋セットの製造方法の一例を説明するフローチャート図である。なお、図８に示す付箋セットの製造方法は一例であり、本発明は図８に示す付箋セットの製造方法に限定されるものではない。
【００２６】
図８に示すように、ステップＳ８０１において、付箋セットの製造を開始する。その後、ステップＳ８０２に進む。
【００２７】
次に、ステップＳ８０２において、先ず、付箋収納シート（図１）を作成する。付箋収納シートは、例えば１枚のシート部材から型抜きまたは切断で製造することができる。その後、ステップＳ８０３に進む。
【００２８】
次に、ステップＳ８０３において、折返し粘着部（図２の３３）を用いて、付箋載置シート部（図１の３１）を折返しシート部（図１の２２）に重ねて折り返して、付箋載置シート部と折返しシート部との一部を粘着する（付箋配置部材折返しステップ）。その後、ステップＳ８０４に進む。なお、付箋収納シートの折り返しや曲げ変形の加工には、機械加工に関する公知の技術を用いることができる。
【００２９】
次いで、ステップＳ８０４において、折返しシート部を底面シート部（図１の２１）に重ねて折り返して、手帳に差し込み可能な差込部（図３の２０Ｉ）を形成する（差込部形成ステップ）。その後、ステップＳ８０５に進む。なお、付箋収納シートの折り返しや曲げ変形の加工には、機械加工に関する公知の技術を用いることができる。
【００３０】
ステップＳ８０５において、付箋載置シート部（図１の３１）に付箋を載置し、図５に示すように付箋粘着部（図１の３２）で付箋を固定する（付箋配置ステップ）。その後、ステップＳ８０６に進む。なお、付箋を所望の位置に配置する方法には、プログラム化された自動移動手段などの公知の技術を用いることができる。
【００３１】
ステップＳ８０６において、表紙シート部（図１の１１）の裏面と付箋配置部材の付箋載置シート部とが相互に対向するように表紙部材のまちシート部（図１の１２）を屈曲する（表紙形成ステップ）。その後、図中の「ＥＮＤ」に進み、動作を終了する。なお、付箋収納シートの折り返しや曲げ変形の加工には、機械加工に関する公知の技術を用いることができる。
【００３２】
以上のとおり、本発明に係る付箋セットの製造方法は、１枚のシート形状の部材から付箋を収納する付箋収納ケースを製造することができる。また、本発明に係る付箋セットの製造方法によれば、本発明に係る前述の付箋収納シート１００（図１等）、付箋セット１００Ｓ（図５等）と同様の効果を得ることができる。
【００３３】
以上のとおり、本発明に係る実施形態について説明したが、本発明は上記の実施形態に限定されるものではない。すなわち、本発明は、特許請求の範囲に記載の内容に基づいて、様々に変形、変更又はその他任意に改変され得る。
【符号の説明】
【００３４】
１００  ：  付箋収納シート
１００Ｓ：  付箋セット
１０  ：  表紙部材
１１  ：  表紙シート部
１１ｒ：  表紙シート部の外側表面
１２  ：  まちシート部
２０  ：  差込み部材
２０Ｉ：  差込部
２１  ：  底面シート部
２１ｒ：  底面シート部の外側表面
２２  ：  折返しシート部
２２ｒ：  折返しシート部の外側表面
２３  ：  折返し線部
３０  ：  付箋配置部材
３１  ：  付箋載置シート部
３１ｒ：  付箋載置シート部の外側表面
３２  ：  付箋粘着部
３３  ：  折返し粘着部
４０，４１，４２，４３，４４  ：  付箋
ＢＫ  ：  手帳
【図１】
2017205924.tif 000003
【図２】
2017205924.tif 000004
【図３】
2017205924.tif 000005
【図４】
2017205924.tif 000006
【図５】
2017205924.tif 000007
【図６】
2017205924.tif 000008
【図７】
2017205924.tif 000009
【図８】
2017205924.tif 000010